(57)【要約】【課題】従来の頭飾品の欠点を改善することができる上、必要に応じてヘアゴム又はヘアバンドとしても用いることができる頭飾品を提供する。【解決手段】頭飾品１０は、複数の第１のプレート体１、複数の第２のプレート体２、複数の第３のプレート体３及び複数の第４のプレート体４を備える。第１のプレート体１及び第２のプレート体２は、互いに交差して枢着させた後、両側に配置した第３のプレート体３及び第４のプレート体４をそれぞれ枢着させ、第３のプレート体３上に透孔３２１を設ける。第１のプレート体１、第２のプレート体２、第３のプレート体３及び第４のプレート体４は、弧面を有する。【選択図】図１
0003175021.tif 000002
【実用新案登録請求の範囲】
【請求項１】
複数の第１のプレート体、複数の第２のプレート体、複数の第３のプレート体及び複数の第４のプレート体を備えた頭飾品であって、
前記第１のプレート体及び前記第２のプレート体は、互いに交差して枢着させた後、両側に配置した前記第３のプレート体及び前記第４のプレート体をそれぞれ枢着させ、前記第３のプレート体上に透孔を設けることを特徴とする頭飾品。
【請求項２】
前記第１のプレート体、前記第２のプレート体、前記第３のプレート体及び前記第４のプレート体は、弧面を有することを特徴とする請求項１に記載の頭飾品。
【請求項３】
前記第１のプレート体は、Ｓ字状の形状を有し、外側面にダイヤモンド又はその他装飾材料が設けられ、内側面に複数の凸柱が設けられ、
前記複数の凸柱は、前記第１のプレート体の中央部に位置する第１の凸柱と、前記第１のプレート体の両端部にそれぞれ設けられた複数の第２の凸柱と、を含み、
前記第２のプレート体は、前記第１のプレート体と対称的に逆Ｓ字状に形成され、第１の穿孔及び複数の第２の穿孔を含む複数の穿孔を有し、前記第１の穿孔は、前記第２のプレート体の中央部に位置し、前記第１のプレート体の中央部に設けた前記第１の凸柱を前記第１の穿孔に枢着させ、前記第２の穿孔は、前記第２のプレート体の両端部にそれぞれ設けられ、一方の端部に設けた前記第２の穿孔には、前記第１のプレート体の一方の前記第２の凸柱が枢着され、他方の端部に設けた前記第２の穿孔には、前記第１のプレート体の他方の前記第２の凸柱が枢着され、
前記第３のプレート体の両端部には、第３の凸柱及び第４の凸柱がそれぞれ設けられ、前記第３の凸柱は、前記第２のプレート体の前記第２の穿孔に枢着され、
前記第４のプレート体は、両端に第３の穿孔及び第４の穿孔がそれぞれ設けられ、前記第４の穿孔には、前記第１のプレート体の端部に設けた第２の凸柱が枢着され、前記第３の穿孔には、前記第３のプレート体の端部に設けた前記第４の凸柱が枢着され、前記第４の凸柱上には、完全に貫通した透孔が設けられていることを特徴とする請求項２に記載の頭飾品。
【請求項４】
一方の前記第３のプレート体の前記透孔に貫設された一方の端部と、他方の前記第３のプレート体の前記透孔に貫設された他方の端部と、を有し、前記頭飾品とともに収納空間を画成する弾性ワイヤをさらに備えることを特徴とする請求項１に記載の頭飾品。
【考案の詳細な説明】
【技術分野】
【０００１】
本考案は、頭飾品に関し、特に、必要に応じてヘアゴム又はヘアバンドとしても用いることができる頭飾品に関する。
【背景技術】
【０００２】
髪型を整えて美しくすることは、現代女性にとって非常に重要である。ヘアピン、カチューシャ、ヘアバンド、ヘアゴムなどの頭飾品は、様々な髪型を作り上げるのに利用され、それらの頭飾品は、異なる機能及び目的に応じてそれぞれ使用される。例えば、カチューシャは、体積が大きいため携帯に不便である上、折り畳んで収納することもできない。さらに、各種頭飾品は、一つの機能しか備えていないことが一般的であるため、外出する際、ユーザは複数の頭飾品を携帯する必要があり不便であるため、様々な整髪機能を備えて従来の頭飾品の欠点を改善することができる頭飾品が求められていた。
【先行技術文献】
【特許文献】
【０００３】
【特許文献１】なし
【考案の概要】
【考案が解決しようとする課題】
【０００４】
本考案の主な目的は、従来の頭飾品の欠点を改善することができる上、必要に応じてヘアゴム又はヘアバンドとしても用いることができる頭飾品を提供することにある。
【課題を解決するための手段】
【０００５】
上記課題を解決するために、本考案の第１形態によれば、複数の第１のプレート体、複数の第２のプレート体、複数の第３のプレート体及び複数の第４のプレート体を備えた頭飾品であって、前記第１のプレート体及び前記第２のプレート体は、互いに交差して枢着させた後、両側に配置した前記第３のプレート体及び前記第４のプレート体をそれぞれ枢着させ、前記第３のプレート体上に透孔を設けることを特徴とする頭飾品が提供される。
【０００６】
また、前記第１のプレート体、前記第２のプレート体、前記第３のプレート体及び前記第４のプレート体は、弧面を有することが好ましい。
【０００７】
また、前記第１のプレート体は、Ｓ字状の形状を有し、外側面にダイヤモンド又はその他装飾材料が設けられ、内側面に複数の凸柱が設けられ、前記複数の凸柱は、前記第１のプレート体の中央部に位置する第１の凸柱と、前記第１のプレート体の両端部にそれぞれ設けられた複数の第２の凸柱と、を含み、前記第２のプレート体は、前記第１のプレート体と対称的に逆Ｓ字状に形成され、第１の穿孔及び複数の第２の穿孔を含む複数の穿孔を有し、前記第１の穿孔は、前記第２のプレート体の中央部に位置し、前記第１のプレート体の中央部に設けた前記第１の凸柱を前記第１の穿孔に枢着させ、前記第２の穿孔は、前記第２のプレート体の両端部にそれぞれ設けられ、一方の端部に設けた前記第２の穿孔には、前記第１のプレート体の一方の前記第２の凸柱が枢着され、他方の端部に設けた前記第２の穿孔には、前記第１のプレート体の他方の前記第２の凸柱が枢着され、前記第３のプレート体の両端部には、第３の凸柱及び第４の凸柱がそれぞれ設けられ、前記第３の凸柱は、前記第２のプレート体の前記第２の穿孔に枢着され、前記第４のプレート体は、両端に第３の穿孔及び第４の穿孔がそれぞれ設けられ、前記第４の穿孔には、前記第１のプレート体の端部に設けた第２の凸柱が枢着され、前記第３の穿孔には、前記第３のプレート体の端部に設けた前記第４の凸柱が枢着され、前記第４の凸柱上には、完全に貫通した透孔が設けられていることは好ましい。
【０００８】
また、一方の前記第３のプレート体の前記透孔に貫設された一方の端部と、他方の前記第３のプレート体の前記透孔に貫設された他方の端部と、を有し、前記頭飾品とともに収納空間を画成する弾性ワイヤをさらに備えることが好ましい。
【考案の効果】
【０００９】
本考案の頭飾品は、従来の頭飾品の欠点を改善することができる上、必要に応じてヘアゴム又はヘアバンドとしても用いることができる。
【図面の簡単な説明】
【００１０】
【図１】本考案の一実施形態による頭飾品を示す斜視図である。
【図２】本考案の一実施形態による頭飾品を示す分解斜視図である。
【図３】本考案の一実施形態による頭飾品を展開したときの状態を示す斜視図である。
【図４】本考案の一実施形態による頭飾品をカチューシャとして用いるときの状態を示す斜視図である。
【図５】本考案のカチューシャを頭に装着したときの状態を示す模式図である。
【図６】本考案の一実施形態による弾性ワイヤをヘアバンドとして用いるときの状態を示す斜視図である。
【図７】図６のヘアバンドで髪を押えて使用するときの状態を示す模式図である。
【図８】図６のヘアバンドに手を通して使用するときの状態を示す模式図である。
【考案を実施するための形態】
【００１１】
以下、本考案の実施形態について図に基づいて説明する。なお、これによって本考案が限定されるものではない。
【００１２】
図１〜図３を参照する。図１〜図３に示すように、本考案の一実施形態による頭飾品１０は、複数の第１のプレート体１、複数の第２のプレート体２、複数の第３のプレート体３及び複数の第４のプレート体４を含み、これら４種類のプレート体は、弧面を有する。第１のプレート体１は、Ｓ字状の形状を有し、外側面にダイヤモンド又はその他装飾材料が設けられ、内側面に複数の凸柱が設けられている。
【００１３】
複数の凸柱は、第１の凸柱１１及び数個の第２の凸柱１２を含む。数個の第２の凸柱１２は、第１のプレート体１の両端部にそれぞれ設けられている。第２のプレート体２は、第１のプレート体１と対称的な形状である逆Ｓ字状に形成され、複数の穿孔（即ち、第１の穿孔２１及び数個の第２の穿孔２２を含む）を有する。
【００１４】
第１の穿孔２１は、第２のプレート体２の中央部に位置し、第１のプレート体１の中央部に設けられた第１の凸柱１１を枢着させることが可能である。第２のプレート体２の両端部には、第２の穿孔２２がそれぞれ設けられ、一方の端部に設けた第２の穿孔２２には、第１のプレート体１の第２の凸柱１２が枢着され、他方の端部に設けた第２の穿孔２２には、第１のプレート体１のもう一つの第２の凸柱１２が枢着される。
【００１５】
複数の第１のプレート体１と複数の第２のプレート体２とを互いに交差させて枢着させた後、両側を第３のプレート体３の端部に設けた第３の凸柱３１を第２のプレート体２の第２の穿孔２２中に枢着させることにより、第４のプレート体４の一端に設けられた第４の穿孔４２に、第１のプレート体１の端部に設けた第２の凸柱１２を枢着させ、第４のプレート体４の他端に設けた第３の穿孔４１に、第３のプレート体３の他端に設けた第４の凸柱３２を結合させる。第４の凸柱３２上には、透孔３２１が設けられている。
【００１６】
図３及び図４を参照する。図３及び図４に示すように、本考案の一実施形態による頭飾品１０は、開閉して調整することが可能であり、頭飾品１０を収納するときは、各プレート体１，２，３，４を閉じて占有空間を縮小し、使用する際、各プレート体１，２，３，４を開いてカチューシャとして用いることができる。このカチューシャをユーザの髪６に装着すると、髪を押えることができる（図５を参照）。
【００１７】
図６〜図８を参照する。図６〜図８に示すように、本考案の一実施形態による頭飾品１０は、弾性ワイヤ５を付加的に取り付けてヘアバンドとして用いることもできる。この弾性ワイヤ５は、一方の端部が第３のプレート体３の端部に設けた一方の透孔３２１に接続され、他方の端部が第３のプレート体３に設けられた他方の透孔３２１に接続され、頭飾品１０とともに収納空間５０を画成する。この収納空間５０に髪６を通して弾性ワイヤ５により髪６を纏めたり、手７を通して頭飾品１０をブレスレットとして用いたりしてもよい。
【００１８】
本考案の一実施形態による頭飾品１０は、複数の第１のプレート体１、複数の第２のプレート体２、複数の第３のプレート体３及び複数の第４のプレート体４を含み、これら４種類のプレート体は、弧面を有する。
【００１９】
第１のプレート体１は、形状がＳ字状であり、内側面に複数の凸柱が設けられている。第２のプレート体２は、逆Ｓ字状であり、第１のプレート体１と対称的な形状を有し、複数の穿孔（即ち、第１の穿孔２１及び数個の第２の穿孔２２を含む）が設けられている。第１の穿孔２１は、第２のプレート体２の中央部に位置する。
【００２０】
第１の穿孔２１には、第１のプレート体１の中央部に設けられた第１の凸柱１１が枢着され、数個の第２の穿孔２２は、第２のプレート体２の両端部にそれぞれ設けられる。一方の端部に設けた第２の穿孔２２には、第１のプレート体１の第２の凸柱１２が枢着され、他方の端部に設けた第２の穿孔２２には、もう一つの第１のプレート体１の第２の凸柱１２が枢着される。
【００２１】
複数の第１のプレート体１と複数の第２のプレート２とを交差させて互いに枢着させた後、第３のプレート体３の端部に設けた第３の凸柱３１を第２のプレート体２の第２の穿孔２２に枢着させ、第４のプレート体４の一端と、第１のプレート体１の端部とを枢着させ、第４のプレート体４の他端と、第３のプレート体３の他端とを結合させ、頭飾品１０に弾性ワイヤ５を取り付け、頭飾品１０及び弾性ワイヤ５により収納空間５０を画成し、この収納空間５０に髪６を通して髪を纏めたり、手７を通してブレスレットとして用いたりしてもよい。
【００２２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１：第１のプレート体、２：第２のプレート体、３：第３のプレート体、４：第４のプレート体、５：弾性ワイヤ、６：髪、７：手、１０：頭飾品、１１：第１の凸柱、１２：第２の凸柱、２１：第１の穿孔、２２：第２の穿孔、３１：第３の凸柱、３２：第４の凸柱、４１：第３の穿孔、４２：第４の穿孔、５０：収納空間、３２１：透孔、４５：接触面。
【図１】
0003175021.tif 000003
【図２】
0003175021.tif 000004
【図３】
0003175021.tif 000005
【図４】
0003175021.tif 000006
【図５】
0003175021.tif 000007
【図６】
0003175021.tif 000008
【図７】
0003175021.tif 000009
【図８】
0003175021.tif 000010